(57)【要約】【課題】遮音性を確保しつつ室内換気性を高めることができる遮音ドア装置を提供する。【解決手段】遮音ドア装置１は、ドア枠２と、ドア枠２の枠開口２０を開閉するように開閉可能に設けられたドア３と、ドア３とドア枠２との間に形成されドア３の内外を連通させる空間４、または、ドア３の内外を連通させるようにドア３に形成された空間４の開放度を調整可能なシャッタ要素６２と、作動機構６とをもつ。作動機構６は、ドア３の閉鎖に基づいて空間４の開放度を減少させる方向にシャッタ要素６２を作動させる遮音操作を実行し、且つ、ドア３の閉鎖に基づいて第１所定時間ｔ１経過すると、空間４の開放度を増加させる方向にシャッタ要素６２を作動させる換気操作を実行する。【選択図】図１
2009221654.tif 000002
【特許請求の範囲】
【請求項１】
構造物に取り付けられ枠開口を有するドア枠と、
前記ドア枠の前記枠開口を開閉するように開閉可能に設けられた回動式またはスライド式のドアと、
前記ドアの外縁部の外方に形成され前記ドアの内外を連通させる空間、または、前記ドアの内外を連通させるように前記ドアに貫通状態に形成された空間の開放度を調整可能なシャッタ要素と、
前記ドアの閉鎖に基づいて前記空間の開放度を減少させる方向に前記シャッタ要素を作動させて前記ドアの内外の遮音性を高める遮音操作を実行し、且つ、前記ドアの閉鎖に基づいて第１所定時間経過すると、前記ドアの閉鎖を維持しつつ前記空間の開放度を増加させる方向に前記シャッタ要素を作動させる換気操作を実行する作動機構とを具備することを特徴とする遮音ドア装置。
【請求項２】
請求項１において、前記作動機構は、前記空間の開放度を増減させる方向に前記シャッタ要素を作動させるための作動部と、前記ドアから突出して設けられ、前記ドアが閉鎖されるとき前記ドアの閉鎖に伴い操作されて前記空間の開放度を減少させる方向に前記作動部を作動させるための操作突起とを備えていることを特徴とする遮音ドア装置。
【請求項３】
請求項２において、前記作動機構は、前記ドア枠に設けられ前記ドアの閉鎖に伴い受圧位置において前記操作突起に係合して前記空間の開放度を減少させる方向に前記作動部を作動させるための受圧部材と、前記ドア枠に設けられ前記ドアの閉鎖に基づいて前記第１所定時間経過するとき、前記操作突起と前記受圧部材との接触度が低下する方向に前記受圧位置から前記受圧部材を退避位置に退避させることにより、前記シャッタ要素を開放させる方向に移動させて前記換気操作を実行するためのアクチュエータとを有することを特徴とする遮音ドア装置。
【請求項４】
請求項３において、前記アクチュエータは、前記受圧位置に位置する前記受圧部材の移動をロックするロック操作と、前記ドアの閉鎖に基づいて前記第１所定時間経過すると、前記ロック操作を解除すると共に、前記操作突起と前記受圧部材との接触度が低下する方向に前記受圧部材を前記受圧位置から退避させて前記シャッタ要素を開放方向に移動させる前記換気操作とを実行することを特徴とする遮音ドア装置。
【請求項５】
請求項４において、前記アクチュエータは、前記受圧位置と前記受圧位置から退避した退避位置との間の中間位置で前記受圧部材をロック可能であることを特徴とする遮音ドア装置。
【請求項６】
請求項３〜５のうちの一項において、前記ドアが閉鎖状態から開放されると、前記退避位置に退避していた前記受圧部材は、前記受圧位置に復帰することを特徴とする遮音ドア装置。
【請求項７】
請求項１〜６のうちの一項において、前記空間は、前記ドアの下面部と前記ドア枠との間、あるいは、前記ドアの上面部と前記ドア枠との間に形成されていることを特徴とする遮音ドア装置。
【請求項８】
請求項１〜７のうちの一項において、前記シャッタ要素は、前記ドアの内外を連通させるように前記ドアに形成された前記空間において、前記空間の開放度を増減させるように回動可能に前記ドアに設けられていることを特徴とする遮音ドア装置。
【発明の詳細な説明】
【技術分野】
【０００１】
本発明は換気性を高め得る遮音ドア装置に関する。本発明は例えばトイレ室、勉強部屋、寝室、客室、居間、業務室、オーディオ室、コンピュータ室等といった消音性を特に要請される家庭用、業務用の各遮音ドア装置に適用できる。
【背景技術】
【０００２】
近年、遮音ドア装置では、遮音性を更に高めることが要請されつつある。そこで、特許文献１には、ドアのドア底面に可動式のシャッタ要素を設け、ドアの閉鎖時に、シャッタ要素を可動させてドア底面と床面との間の隙間を閉鎖して遮音性を高めるドアが開示されている。このものでは、ドアの閉鎖時における遮音性が高まる。更に、ドア内外間の通気性を高めるために、ドアには通気孔が形成されている。
【０００３】
また、近年（２００３年７月）、ホルムアルデヒド等の有害物質による室内におけるシックハウス症候群に対応するため建築基準法が改正され、ドアが閉鎖されている状態において室内換気性を良好に確保すること（非特許文献１参照）が要請されている。
【特許文献１】特開２００１−１３２３５３号公報（特許第３３２５２４６号）
【非特許文献１】国土交通省住宅局建築指導課、国土交通省住宅局住宅生産課、国土交通省国土技術政策総合研究所、独立行政法人建築研究所、日本建築行政会議、シックハウス対策マニュアル編集委員会、「改正建築基準法に対応した建築物のシックハウス対策マニュアル−建築基準法・住宅性能表示制度の解説及び設計施工マニュアル−」、第１版、工学図書株式会社、平成１５年５月１日、ｐ．２１１
【発明の開示】
【発明が解決しようとする課題】
【０００４】
上記したように特許文献１に係るドアによれば、ドアに形成されている通気孔は常時開放しているため、通気性は確保されるものの、通気孔を介して音が伝播するおそれがある。また、建築基準法の改正によりドアで閉鎖されている室内の換気が要請されると、室内の遮音性が低下するため、室内換気性を確保しつつ室内の遮音性を高めることが要請されている。
【０００５】
本発明は上記した実情に鑑みてなされたものであり、室内の遮音性を確保しつつ室内換気性を高めることができる遮音ドア装置を提供することを課題とする。
【課題を解決するための手段】
【０００６】
本発明に係る遮音ドア装置は、（ｉ）構造物に取り付けられ枠開口を有するドア枠と、（ｉｉ）ドア枠の枠開口を開閉するように開閉可能に設けられた回動式またはスライド式のドアと、（ｉｉｉ）ドアの外縁部の外方に形成されドアの内外を連通させる空間、または、ドアの内外を連通させるようにドアに貫通状態に形成された空間の開放度を調整可能なシャッタ要素と、（ｉｖ）ドアの閉鎖に基づいて空間の開放度を減少させる方向にシャッタ要素を作動させてドアの内外の遮音性を高める遮音操作を実行し、且つ、ドアの閉鎖に基づいて第１所定時間経過すると、ドアの閉鎖を維持しつつ空間の開放度を増加させる方向にシャッタ要素を作動させる換気操作を実行する作動機構とを具備することを特徴とする。
【０００７】
ドアの内外が連通するように、ドアの外縁部の外方（ドアの外縁部とドア枠との間）に空間が形成されている。または、ドアの内外が連通するように、ドアに貫通状態に空間が形成されている。ドアが閉鎖されると、作動機構は、空間の開放度を減少させる方向にシャッタ要素を作動させ、ドアの内外の遮音性を高める遮音操作を実行する。これによりドアの内外の連通性が低下し、ドアの内外の遮音性が向上する。ドアの内外の連通性とは、ドアで閉じられた室内と室外との連通性を意味する。
【０００８】
また、ドアの閉鎖に基づいて第１所定時間経過すると、作動機構は、ドアの閉鎖を維持しつつ、空間の開放度を増加させる方向にシャッタ要素を作動させる換気操作を実行する。これによりドアが閉鎖されているときであっても、ドアの内外の連通性が高まり、ドアの内外の換気性、即ち、室内換気性が向上する。
【０００９】
ここで、『ドアの閉鎖に基づいて第１所定時間経過する』とは、ドアの閉鎖時刻から第１所定時間経過する態様、ドアの閉鎖が維持された状態において第１所定時間経過する態様、ドアの閉鎖動作後において所定の動作が実行された後から第１所定時間経過する態様、ドアの閉鎖動作の開始時刻から第１所定時間経過する態様、ドアの閉鎖動作の終了時刻から第１所定時間経過する態様、ドアの閉鎖動作の途中時刻から第１所定時間経過する態様を含む。要するに、ドア閉鎖に基づいて計測される時間をいう。
【００１０】
ドア枠は構造物に取り付けられており、枠開口を有する。構造物は、家屋、ビル、マンションなどの建築物、船体、車両が例示される。ドアは、ドア枠の枠開口を開閉するように開閉可能に設けられている。ドアとしては、回動可能でも良いし、水平方向に沿ってまたは垂直方向に沿ってスライド可能でも良い。シャッタ要素は、ドアとドア枠との間に形成されドアの内外を連通させる空間、または、ドアの内外を連通させるようにドアに形成された空間の開放度を調整可能である。
【発明の効果】
【００１１】
本発明によれば、ドアの閉鎖に基づいて第１所定時間経過すると、作動機構は、ドアの閉鎖を維持しつつ空間の開放度を増加させる方向にシャッタ要素を作動させる換気操作を実行する。これによりドアが閉鎖されているときであっても、ドアの内外の連通性が高まる。この結果、ドアの内外の換気性、すなわち、室内換気性が向上する。この結果、遮音性を確保しつつ室内換気性を高めることができる。
【発明を実施するための最良の形態】
【００１２】
本発明に係るドアによれば、次の形態が採用できる。
【００１３】
・作動機構は、空間の開放度を増減させる方向にシャッタ要素を作動させるための作動部と、ドアから突出して設けられ、ドアが閉鎖されるときドアの閉鎖に伴い操作されて空間の開放度を減少させる方向に作動部を作動させるための操作突起とを備えている形態が採用できる。
【００１４】
・作動機構は、ドア枠に設けられドアの閉鎖に伴い受圧位置において操作突起に係合して空間の開放度を減少させる方向に作動部を作動させるための受圧部材と、ドア枠に設けられドアの閉鎖に基づいて第１所定時間経過するとき、操作突起と受圧部材との接触度が低下する方向に受圧位置から受圧部材を退避位置に退避させることにより、シャッタ要素を開放させる方向に移動させて換気操作を実行するためのアクチュエータとを有する形態が採用できる。アクチュエータとしては、モータ、電磁マグネット、流体圧シリンダが例示される。モータとしては、直動可能なリニアモータ、回転可能な回転モータ、ステッピングモータが例示される。モータは、直流タイプでも交流タイプでも良い。流体圧シリンダとしては空気圧シリンダ、油圧シリンダが例示される。
【００１５】
・アクチュエータは、受圧位置に位置する受圧部材の移動をロックするロック操作と、ドアの閉鎖に基づいて第１所定時間経過すると、ロック操作を解除すると共に、操作突起と受圧部材との接触度が低下する方向に受圧部材を受圧位置から退避させてシャッタ要素を開放方向に移動させる換気操作とを実行する形態が採用できる。
【００１６】
・アクチュエータは、受圧位置と受圧位置から退避した退避位置との間の中間位置で受圧部材をロック可能である形態が採用できる。この場合、シャッタ要素を全閉状態と全開状態との間の中間開放状態で維持することができる。
【００１７】
・ドアが閉鎖状態から開放されると、退避位置に退避していた受圧部材は、受圧位置に復帰する形態が採用できる。これにより遮音操作を再び実行可能となる。
【００１８】
・ドアの外縁部の外方に形成されドアの内外を連通させる空間としては、ドアの下面部とドア枠との間、あるいは、ドアの上面部とドア枠との間に形成されている形態が採用できる。従って、ドアの下面部とドア枠との間の空間が開閉される。また、ドアの上面部とドア枠との間の空間が開閉される。
【００１９】
・シャッタ要素は、ドアの内外を連通させるようにドアに形成された空間において、空間の開放度を増減させるように回動可能にドアに設けられている形態が採用できる。
【実施例１】
【００２０】
以下、本発明を具体化した実施例１について図１〜図５を参照して具体的に説明する。図１に示すように、遮音ドア装置１は、トイレ室、寝室等のように遮音性の要請が高い室の出入口を開閉するためのものである。遮音ドア装置１は、建築物などの構造物に取り付けられ枠開口２０を有するドア枠２と、ドア枠２の枠開口２０を開閉するように開閉可能に設けられたドア３とを有する。ドア３はドア枠２の蝶番３ａに回動可能に枢支されている。ドア３が閉鎖されるとき、ドア３の外縁部として機能する下縁部３２と床面５０との間には空間４が形成される。空間４はドア３で閉鎖された室内および室外を連通させる。ドア３が閉鎖されているといえども、この空間４により室内換気性が向上する。ドア３の下縁部３２には、空間４の開放度を調整可能なシャッタ要素６２が設けられている。
【００２１】
作動機構６は、ドア３の閉鎖に基づいて、空間４を閉鎖させる方向（矢印Ｃ１方向）にシャッタ要素６２を作動させ、ドア３が閉鎖される室に対する遮音性を高める遮音操作を実行する。
【００２２】
また本実施例によれば、ドア３が閉鎖されてから第１所定時間ｔ１が経過すると、作動機構６は、ドア３の閉鎖を維持しつつ、空間４を開放させる方向（矢印Ｃ２方向）にシャッタ要素６２を開放作動させる換気操作を実行する。これによりドア３が閉鎖されているときであっても、空間４を介しての室内換気性を高めることができる。
【００２３】
作動機構６は、ドア３に設けられたドア側作動機構６１と、ドア枠２に設けられた枠側作動機構６５とを有する。ドア側作動機構６１は、後述する実施例５に係る図８〜図１０に示す機構に相当するため、説明を簡略する。ドア側作動機構６１は、ドア３の下縁部３２と床面５０との間に形成される空間４の開放度を増減させる方向にシャッタ要素６２を作動させるための作動部６３と、ドア３の側縁部３３から外方（矢印Ｄ２方向、突出方向）に突出したり、ドア３内部の矢印Ｄ１方向に移動したりする操作突起６４とを有する。ドア３が開放しているときには、操作突起６４は外方向（矢印Ｄ１方向）に突出している。
【００２４】
開放しているドア３が矢印Ｆ１方向に移動して閉鎖されると、操作突起６４がドア枠２の受圧部材６５３に当接し、操作突起６４が矢印Ｄ１方向（引込方向）にドア３の内部に引き込まれる。すると、ドア側作動機構６１は、シャッタ要素６２を床面５０に向けて接近または接触させる。これによりドア３の下縁部３２の下方に設けられている空間４を閉鎖させる。よってドア３で閉鎖されている室における遮音性を高めることができる。
【００２５】
これに対してドア３が矢印Ｆ２方向に開放されると、操作突起６４がドア３の側縁部３３から外方向（矢印Ｄ２方向，突出方向）に突出する。このときシャッタ要素６２は矢印Ｃ２方向（シャッタ開放方向）に上昇し、床面５０から離間して空間４を開放させる。よってシャッタ要素６２が床面５０に擦れることを防止することができる。
【００２６】
更に説明を加える。図２に示すように、枠側作動機構６５は、ドア枠２の下部に固定された固定フレーム６５１と、固定フレーム６５１に設けられドア３の閉鎖および開放を検知するドアセンサ６５２と、固定フレーム６５１に移動可能に設けられた受圧部材６５３と、ユーザ、メンテナンス者、メーカー等によりタイマー時間を可変に設定できるタイマー設定部６５４と、受圧部材６５３を退避方向（矢印ＸＡ方向）および受圧方向（矢印ＸＢ方向）に移動させるリニアモータで形成されたアクチュエータ７とを有する。ドアセンサ６５２は光式でも静電容量式でもマイクロスイッチでも良い。固定フレーム６５１には制御部７０が取り付けられている。制御部７０は、タイマー機能を発揮できるマイコン機能を有するＣＰＵと、入力処理回路と、出力処理回路とを有する。ドアセンサ６５２が検知するドア閉鎖信号およびドア開放信号は、入力処理回路を介して制御部７０に入力される。制御部７０は出力処理回路を介してアクチュエータ７を制御する。
【００２７】
ここで、図３に示すように、受圧部材６５３は、鉛直方向に沿った受圧部６５６と、受圧部６５６から水平方向に沿って延設された腕部６５７と、腕部６５７のＵの字形状に曲成された先端部６５９に設けられた永久磁石部６５８（図４参照）とを有する。アクチュエータ７は、固定フレーム６５１に螺子６５９ｘ（取付具）により固定状態に取り付けられ、ひいてはドア枠２側に取り付けられている。固定フレーム６５１にガイド部６７ａ，６７ｂが設けられている。受圧部材６５３の腕部６５７は、ガイド部６７ａとガイド部６７ｂとの間に沿って矢印ＸＡ，ＸＢ方向に案内される。
【００２８】
図５はアクチュエータ７の構造の一例を示す。アクチュエータ７の構造は図５に示すものに限定されるものではない。図５に示すように、アクチュエータ７は、複数のコア部７２ａ〜７２ｇをもつコア体７３と、各コア部７２ａ〜７２ｇにそれぞれ巻回され各コア部７２ａ〜７２ｇを励磁させる複数の励磁巻線部７３ａ〜７３ｇと、各励磁巻線部７３ａ〜７３ｇに励磁電流を給電するスイッチング素子７５ａ〜７５ｇとを有する。スイッチング素子７５ａ〜７５ｇは制御部７０からの指令によりオンオフされる。スイッチング素子７５ａ〜７５ｇは半導体スイッチでも、機械式スイッチでも、リレースイッチでも良い。励磁巻線部７３ａ〜７３ｇに給電する電源部７６がドア枠２側に設けられている。このように電源部７６は、建築物等の構造物に固定されてドア枠２に設けられているため、回動するドア３に電源部を設ける場合よりも、電気配線が容易となる。電源部７６は乾電池等のバッテリー、キャパシタ等で形成しても良いし、あるいは、交流の商用電源を直流変換させる電力変換器でも良い。
【００２９】
制御部７０によりスイッチング素子７５ａがオンされると、コア部７２ａが励磁されて磁極を形成する。ここで、コア部７２ａの磁極が受圧部材６５３の永久磁石部６５８の磁極と互いに同極であれば、磁気反発作用が発生する。また、コア部７２ａの磁極が受圧部材６５３の永久磁石部６５８の磁極と互いに異極であれば、磁気吸引作用が発生する。このため磁気吸引作用により、受圧部材６５３の永久磁石部６５８はその位置にコア部７２ａによりロックされる。スイッチング素子７５ａをオフとすれば、コア部７２ａが消磁されてロックが解除される。従って、コア部７２ａの磁極が受圧部材６５３の永久磁石部６５８の磁極と互いに異極であれば、受圧位置Ｘ１で受圧部材６５３がロック（抑止）されるロック操作（抑止操作）が実行される。
【００３０】
本実施例によれば、ドア３が閉鎖されると、ドア３の閉鎖を検知したドアセンサ６５２がドア閉鎖信号を制御部７０に入力させる。すると、制御部７０は、スイッチング素子７５ａをオンし、コア部７２ａを励磁して磁気吸引作用を発生させ、磁気吸引作用により、永久磁石部６５８をその位置にロックさせる。このように永久磁石部６５８を有する受圧部材６５３を受圧位置Ｘ１にロックさせた状態であれば、操作突起６４により受圧部材６５３が押圧されたとしても、受圧部材６５３の退避方向（矢印ＸＡ方向）への移動は抑止される。従って、ドア３が閉鎖されるとき、ドア３の操作突起６４は受圧部材６５３に当たるが、受圧部材６５３は受圧位置Ｘ１にロックされて固定されているため、操作突起６４がドア３の内部に矢印Ｄ１方向に引き込まれ、受圧部材６５３は受圧位置Ｘ１に維持される。これによりシャッタ要素６２を床面５０に接近または接触させて空間４を閉鎖させる遮音操作を実行できる。このためドア３で閉鎖されている室内の遮音性が高まり、室内に存在する使用者が音を発生させたとしても、室内における音は、室外に伝搬されにくくなる。
【００３１】
さて本実施例によれば、ドア３が閉鎖されることを起点として、タイマー機能を有する制御部７０は時間を計測する。そして、ドア３が閉鎖されることを起点として第１所定時間ｔ１が経過すると、すなわち、ドアセンサ６５２がドア３の閉鎖を検知してから第１所定時間ｔ１が経過すると、スイッチング素子７５ｂ、スイッチング素子７５ｃ、スイッチング素子７５ｄ、スイッチング素子７５ｅ…スイッチング素子７５ｇが順にオンとなる。故に、コア部７２ｂ、コア部７２ｃ、コア部７２ｄ、コア部７２ｅ…コア部７２ｇが順に励磁され、磁極を形成する。このため退避方向（図５に示す矢印ＸＡ方向）に移動する移動磁界が形成される。故に、受圧部材６５３に取り付けられている永久磁石部６５８が退避方向（矢印ＸＡ方向）に自動的に移動する。ひいては、受圧部材６５３の永久磁石部６５８が退避方向（矢印ＸＡ方向）に移動する。なお第１所定時間ｔ１は、使用者の好みまたは室の用途に応じて、タイマー設定部６５４により任意に適宜調整できる。例えば、第１所定時間ｔ１としては０．５分〜２４時間の範囲内、１分〜１２時間の範囲内、更には、２分〜２時間の範囲内、５分〜６０分の範囲内で適宜設定できる。但し、これに限定されるものではない。
【００３２】
以上説明したように本実施例によれば、ドア３の閉鎖を起点として第１所定時間ｔ１が経過すると、操作突起６４と受圧部材６５３との接触度が低下する方向に、アクチュエータ７は、受圧部材６５３をこれの受圧位置Ｘ１から退避方向（矢印ＸＡ方向）に自動的に退避させる。このように受圧部材６５３を退避位置Ｘ３に退避させると、ドア３の操作突起６４は、ドア３の側縁部３３から突出量が増加する方向（図１に示す矢印Ｄ２方向）に変位する。このため、シャッタ要素６２を床面５０から離間させて開放させる方向（上昇方向，矢印Ｃ２方向）に移動させる。この結果、ドア３の下縁部３２と床面５０との間における空間４が開放される。この場合、空間４を介して室内の換気操作が実行される。なお、上記した換気操作は、一般的には、第２所定時間ｔ２実行される。ここで、ｔ１＞ｔ２，ｔ２＞ｔ１，ｔ１＝ｔ２，ｔ２≒ｔ１のうちのいずれでも良い。第２所定時間ｔ２も、第１所定時間ｔ１と同様に、使用者の好みまたは室の用途に応じてタイマー設定部６５４により任意に適宜調整できる。
【実施例２】
【００３３】
本実施例は実施例１と基本的には同様の構成および作用効果を有するため、図１〜図５を準用する。以下、相違する部分を中心として説明する。本実施例によれば、実施例１と同様に、ドア３が閉鎖されている状態から開放されると、ドアセンサ６５２はドア３の開放を検知する。すると、ドアセンサ６５２からドア開放信号が入力処理回路を介して制御部７０に入力される。すると、制御部７０からの指令により、スイッチング素子７５ｇ、スイッチング素子７５ｆ、スイッチング素子７５ｅ、スイッチング素子７５ｄ…スイッチング素子７５ｂ、スイッチング素子７５ａが順にオンとなる。これによりコア部７２ｇ、コア部７２ｆ、コア部７２ｅ、コア部７２ｄ…コア部７２ｂ、コア部７２ａが順に励磁されて磁極を形成する。
【００３４】
このため、前述と逆方向（矢印ＸＢ方向）に移動する移動磁界が形成される。この結果、退避位置Ｘ３に存在する受圧部材６５３は、これの受圧位置Ｘ１に向けて受圧方向（矢印ＸＢ方向）に順に移動する。この結果、アクチュエータ７は、退避位置Ｘ３に退避していた受圧部材６５３を、退避位置Ｘ３から受圧位置Ｘ１に自動的に復帰させることができる。
【００３５】
上記したように受圧部材６５３をこれの受圧位置Ｘ１に復帰させた状態であれば、ドア３が再び閉鎖されるとき、ドア３の閉鎖信号はドアセンサ６５２から制御部７０に入力され、アクチュエータ７が受圧部材６５３を受圧位置Ｘ１にロックさせる。
【００３６】
このように受圧部材６５３が受圧位置Ｘ１にロックされた状態において、ドア３の閉鎖に伴い、ドア３の操作突起６４がドア枠２の受圧部材６５３に当たると、操作突起６４が矢印Ｄ１方向に移動するため、前述同様にシャッタ要素６２を床面５０に接近または接触させることにより空間４を閉鎖させ、室内の遮音性を高めることができる。
【００３７】
本実施例においても、ドア３が閉鎖されている状態において、ドア３の閉鎖を起点として第１所定時間ｔ１が経過すると、移動磁界が形成され、アクチュエータ７は受圧部材６５３を退避方向（矢印ＸＡ方向）に順に移動させる。この結果、操作突起６４は、ドア３の側縁部３３から突出する方向（矢印Ｄ２方向）に変位する。このため、シャッタ要素６２を床面５０から離間させて空間４を開放させる。この場合、室内の換気操作が実行される。
【実施例３】
【００３８】
図６は実施例３を示す。本実施例は実施例１と基本的には同様の構成および作用効果を有する。本実施例は、ドア３が継続的に長時間にわたり閉鎖されている状態に対処する。この場合、ドア３の閉鎖を起点として、すなわち、前述同様に、ドアセンサ６５２からドア閉鎖信号が制御部７０に入力されてから第１所定時間ｔ１が経過するまで、遮音操作が実行される。
【００３９】
そして第１所定時間ｔ１が経過すると、換気操作が第２所定時間ｔ２実行される。その後、再び遮音操作が第３所定時間ｔ３実行される。その後、換気操作が第４所定時間ｔ４実行される。その後、遮音操作が第５所定時間ｔ５実行される。このようにドア３が継続して閉鎖されているとき、遮音操作と換気操作とが交互に連続して順に実行される。換言すると、ドア３が継続して閉鎖されているとき、制御部７０のタイマー機能により、シャッタ要素６２の閉鎖→開放→閉鎖→開放→閉鎖…が交互に自動的に繰り返される。すなわち空間４の閉鎖→開放→閉鎖→開放→閉鎖…が交互に自動的に繰り返される。このため遮音性と換気性とを両立させることが可能となる。
【００４０】
なお、ドアが閉鎖されたままであり、室内が長期にわたり密閉されたままであると、カビ類等の臭気が発生するおそれがある。このようなときであっても、本実施例によれば、室内の換気が繰り返して実施されるため、室内の臭気を排出することができる。
【実施例４】
【００４１】
図７は実施例４を示す。本実施例は実施例１と基本的には同様の構成および作用効果を有するため、図１〜図５を準用する。本実施例によれば、実施例１と同様に、換言すると、コア部７２ａ〜７２ｇのうちのいずれかの磁極が受圧部材６５３の永久磁石部６５８の磁極に対して異極とし、磁気吸引作用により永久磁石部６５８を任意の位置でロックし、ひいては永久磁石部６５８を有する受圧部材６５３を任意の位置でロックすることができる。従って、受圧位置Ｘ１と退避位置Ｘ３との間の中間位置において、受圧部材６５３の位置をロックして固定させることができる。
【００４２】
この結果、シャッタ要素６２を、これの完全開放位置と完全閉鎖位置との間の中間位置において維持させることができる。従って冬季、寒冷地等であると制御部７０が判定すると、換気操作において、建築基準法の要請による換気量の条件を満たしつつも、作動機構６の受圧部材６５３を受圧位置Ｘ１と退避位置Ｘ３との間の中間位置に維持することができる。この場合、シャッタ要素６２の開放度を、全開状態と全閉状態との間における中間値（中間開放状態）に維持できる。つまり、空間４の開放度を中間値（中間開放状態）に維持できる。なお、冬季、寒冷地等の判定については、図７に示すように、固定フレーム６５１等に温度センサ６５８ｘを設け、温度センサ６５８ｘの温度信号を制御部７０に入力させ、制御部７０は、温度センサ６５８ｘの温度信号が閾値温度よりも低いとき、冬季、寒冷地等と判定することができる。
【実施例５】
【００４３】
図８〜図１０は実施例５を示す。本実施例は上記した各実施例と基本的には同様の構成および作用効果を有する。図８はドア３の下縁部３２を示す。ドア３の下縁部３２にはシャッタ要素６２が設けられている。シャッタ要素６２は、ゴムや軟質樹脂などのように遮音性を有する材質で形成されている。図１０に示すように、ドア側作動機構６１は、シャッタ要素６２に一体的に保持された複数個の持ち上げピン６７１（持ち上げ部材）と、持ち上げピン６７１の頭部６７２とシャッタ要素６２との間に介装された付勢要素として機能する引張バネであるコイル状の復帰バネ６７３と、矢印Ｄ１、Ｄ２方向に移動可能な横型ピン状の操作突起６４と、操作突起６４を矢印Ｄ２方向に付勢しこれの鍔部６４ｃをドア３の端板３３０に当接させる付勢要素として機能する圧縮バネである付勢バネ６７５と、シャッタ要素６２に一体に固定された押圧突部６７６と、押圧突部６７６と操作突起６４との間に配置された作動力方向変換部材として機能する球体６７７とを備えている。操作突起６４が受圧部材６５３に当接していないときには、付勢バネ６７５の付勢力により、操作突起６４が突出方向（矢印Ｄ２方向）に付勢されてドア３の端板３３０よりも外方に突出している。ドア３が開放されているときには、復帰バネ６７３の付勢力により、シャッタ要素６２は開放方向（矢印Ｃ２方向）に持ち上げられ、空間４が開放されている。
【００４４】
図９から理解できるように、ドア３が閉鎖方向（矢印Ｆ１方向）に回動してドア３が閉鎖されるとき、ドア枠２側の受圧部材６５３に操作突起６４の先端部が当接し、操作突起６４が引込方向（矢印Ｄ１方向）に引き込まれる。このように操作突起６４が矢印Ｄ１方向に引き込まれると、図１０から理解できるように、操作突起６４の傾斜面６４ａにより球体６７７が下方（矢印Ｃ１方向）に押され、押圧突部６７６が下方（矢印Ｃ１方向）に移動し、これによりシャッタ要素６２が下方に移動し、シャッタ要素６２の下端６２ｄが床面５０に接触または接近する。この結果、ドア３の下縁部３２と床面５０との空間４をシャッタ要素６２が閉鎖する。このため、ドア３が閉鎖されている室内の遮音性が一層高まる。
【００４５】
一方、ドア３が開放方向（矢印Ｆ２方向，図９参照）に回動して開放されるとき、付勢バネ６７５により操作突起６４が突出方向（矢印Ｄ２方向）に付勢され、操作突起６４の鍔部６４ｃが端板３３０に当接する位置まで操作突起６４が自動的に復帰する。このため復帰バネ６７２の付勢力によりシャッタ要素６２は上方（矢印Ｃ２方向，開放方向）に自動的に持ち上げられる。従って、ドア３の下縁部３２と床面５０との空間４が開放され、空間４を介しての室内の換気が行われる。このようにシャッタ要素６２が床面５０から浮上すれば、シャッタ要素６２と床面５０との摩擦が低減又は回避され、ドア３の動きをシャッタ要素６２が邪魔することを抑え得、ドア３の回動操作が円滑となる。
【００４６】
本実施例においても、前記した実施例と同様に、ドア３の閉鎖に基づいて、ドア３の下縁部３２と床面５０との間に位置する空間４を閉鎖させる方向にシャッタ要素６２を作動させ、ドア３の内外の遮音性を高める遮音操作を実行する。更に本実施例によれば、ドア３の閉鎖時刻から第１所定時間ｔ１が経過すると、制御部７０はアクチュエータ７（図３参照）を作動させて受圧部材６５３を退避方向（矢印ＸＡ方向）に退避させ、空間４を開放させる方向にシャッタ要素６２を作動させる換気操作を実行する。
【実施例６】
【００４７】
図１１は実施例６を示す。本実施例は上記した図１０に示す実施例５と基本的には近似する構成を有しており、近似する部位には共通の符号を付する。但し、本実施例では、ドア３の上縁部３１とドア枠２の上枠部２１との間に空間４Ｕが形成されている。本実施例は、空間４Ｕを開閉させることを対象とする。ドア３が回動してドア３が閉鎖されるとき、ドア３を取り付けたドア枠２側の受圧部材６５３（図１１参照，ロックされている）に操作突起６４の先端部が当接し、引込方向（矢印Ｄ１０方向）に引込操作される。このように操作突起６４が矢印Ｄ１０方向に引込操作されると、操作突起６４の傾斜面６４ａにより球体６７７が上方（矢印Ｃ２０方向）に押され、押圧突部６７６が上方（矢印Ｃ２０方向，空間４Ｕを閉鎖する方向）に移動する。これによりシャッタ要素６２が同方向に移動し、シャッタ要素６２の先端６２ｕがドア枠２の上枠部２１に接触または接近する。この結果、空間４Ｕをシャッタ要素６２が閉鎖するため、遮音性が一層高まる。
【００４８】
一方、ドア３が回動して開放されるとき、ドア枠２側の受圧部材６５３（図１１参照）と操作突起６４の先端部とが離間する。このため付勢バネ６７５により操作突起６４が突出方向（矢印Ｄ２０方向）に付勢され、操作突起６４の鍔部６４ｃが端板３３０に当接する位置まで操作突起６４が自動的に復帰する。このため復帰バネ６７３の付勢力によりシャッタ要素６２は開放方向（矢印Ｃ１０方向）に自動的に持ち下げられ、空間４Ｕが開放される。
【００４９】
本実施例においても、ドア３の閉鎖を起点として、第１所定時間ｔ１が経過すると、制御部７０からの指令により、アクチュエータ７が作動して受圧部材６５３を退避方向（図１１に示す矢印ＸＡ方向）に退避させる。これにより前述同様に、ドア３の閉鎖を維持しつつ、シャッタ要素６２を開放させることにより空間４Ｕを開放させ、換気操作を実行する。このため遮音性を確保しつつ室内換気性を高めることができる。
【実施例７】
【００５０】
図１２および図１３は実施例７を示す。本実施例は上記した各実施例と基本的には同様の構成を有しており、共通する部位には共通の符号を付する。ドア３で閉鎖される室内および室外を連通させるように、ドア３の厚み方向に貫通する空間４Ｔがドア３に形成されている。ドア３には、空間４Ｔの開放度を増減させるシャッタ要素６２が回動可能に設けられている。シャッタ要素６２の長手方向の両端部には、軸部６２１が突設されている。一方の軸部６２１にはアクチュエータ７Ｄが同軸的に設けられている。アクチュエータ７Ｄは、減速機構付きのステッピングモータ（回転モータ）とされている。通常時には、アクチュエータ７Ｄはシャッタ要素６２を閉鎖方向に回転させ、空間４Ｔを常時閉鎖させている。これによりドア３の内外の遮音性が維持される。
【００５１】
あるいは、シャッタ要素６２は通常時には開放されているものの、ドア３を開放して使用者が室内（例えばトイレ室）に進入し、ドア３を閉鎖させたとき、ドアセンサ６５２がドア３の閉鎖を検知すると、制御部７０の指令によりアクチュエータ７Ｄは空間４Ｔを閉鎖させる方向にシャッタ要素６２を回転させることにしても良い。これによりドア３で閉鎖されている室内および室外の遮音性が維持される。
【００５２】
本実施例においても、実施例１の場合と同様に、ドア３が閉鎖されてから第１所定時間ｔ１が経過すると、制御部７０は、ドア３の閉鎖を維持しつつ、シャッタ要素６２を矢印Ｒ１方向に回転させ、シャッタ要素６２を水平位置にして停止させ、空間４Ｔを開放させる。この結果、空間４Ｔが開放されるため、空間４Ｔを利用した換気操作が実行される。このようにドア３の閉鎖から第１所定時間ｔ１が経過すると、シャッタ要素６２を換気位置に維持させる換気操作が実行される。更に換気操作→遮音操作→換気操作→遮音操作…が順に交互に実行される。このようにドア３が閉鎖された室に使用者が存在している間、遮音操作と換気操作とが交互に繰り返して実行され、遮音性および換気性の双方が実現される。
【００５３】
なお。本実施例によれば、換気操作において、制御部７０は、室内換気方向にシャッタ要素６２を連続的に回転させることにより、シャッタ要素６２を送風ファンとして使用しても良い。図１３に示すように、ドア３を厚み方向に貫通する空間４Ｔの前後には、格子部４３を有する化粧パネル４２を着脱可能に設けることが好ましい。シャッタ要素６２の悪戯による損傷などを回避できる。シャッタ要素６２が回転しても化粧パネル４２に接触しないように、シャッタ要素６２と化粧パネル４２との間の間隔を確保する必要がある。
【実施例８】
【００５４】
図１４〜図１６は実施例８を示す。図１４は引き戸式のドア３の概念を示す正面図であり、図１５はドア３の下側付近の概念を示す拡大構成図であり、図１６はドア３の下側付近をドア肉厚方向に沿って切断した概念を示す断面図である。図１４に示すように、遮音ドア装置１は、家屋や集合住宅等の構造物において人が出入りする開口に取り付けられるベースとして機能するドア枠２と、構造物の開口部を開閉可能なドア３とを備えている。ドア枠２は、水平方向に延設された上枠部２１と、水平方向に延設された下枠部２２と、上枠部２１及び下枠部２２に一体的に設けられた側枠部２３とを有する。ドア３はドア枠２に取り付けられており、矢印Ａ１，Ａ２方向に開閉する引き戸方式であり、２枚１組で形成されている。
【００５５】
ドア３は、ドア枠２の上枠部２１に対面する上縁部３１と、下枠部２２に対面する下縁部３２と、側枠部２３に対面する側縁部３３とを有する。ドア３の底面には、矢印Ａ１，Ａ２方向への開閉動作を円滑にすべく、回転ローラ式の車輪３４が複数個装備されている。
【００５６】
図１６に示すように、ドア３の下縁部３２とドア枠２の下枠部２２との間には、隙間量ΔＥをもつ空間４が形成されている。ドア枠２の下枠部２２には、ドア３の車輪３４を受けて回転させるスライドレール部２５が設けられている。更に、ドア枠２の下枠部２２は収容室２９を有しており、その収容室２９内に作動機構６が取り付けられている。作動機構６は、矢印Ｙ１及びＹ２方向に昇降可能な作動部６３を備えている。作動部６３は、金属製の第１作動部材６３１と、第１作動部材６３１に上向きに保持されたゴムまたは樹脂等の有機系高分子材料で形成されたシャッタ要素６３２と、第１作動部材６３１を下側から支持するように収容室２９に収容されたバネ部材６３３と、バネ部材６３３を作動させる可動式の作動子６３４（図１５参照）とを備えている。図１５に示すように、バネ部材６３３は、複数の曲成部６３６を有する蛇行状をなす板バネとされており、ドア枠２の下枠部２２の収容室２９の延設方向に沿って延設されている。
【００５７】
作動子６３４は、アクチュエータ７Ｅにより矢印Ｓ１，Ｓ２方向に移動可能に設けられている。アクチュエータ７Ｅはリニアモータで形成されている。バネ部材６３３の先端部６３７と作動子６３４とは接触係合している。
【００５８】
図１４に示すように、ドア枠２の側枠部２３には、ドア３の開閉を検知するドアセンサ６５２が設けられている。ドア３が矢印Ａ１方向に移動して閉鎖されると、ドアセンサ６５２がドア閉鎖を検知する。ドアセンサ６５２からの信号は制御部７０に入力され、制御部７０はアクチュエータ７Ｅを駆動させ、作動子６３４を操作方向（矢印S１方向）に移動させる。すると、バネ部材６３３の曲成部６３６が作動子６３４により変形され、バネ部材６３３は第１作動部材６３１を上方向（矢印Ｙ１方向）に移動させる。即ち、シャッタ要素６３２の上端６３２ｕはドア３の下縁部３２に密着し、図１６に一点鎖線で示した使用位置とされる。この結果、空間４の隙間量ΔＥを減少または消失させることができる。この場合、遮音性が高まる（遮音操作）。
【００５９】
更に本実施例によれば、前記した各実施例と同様に、ドア３が閉鎖されているとき、ドア３の閉鎖を起点として第１所定時間ｔ１が経過すると、制御部７０からの指令により、アクチュエータ７Ｅが作動子６３４を矢印Ｓ２方向に作動させる。これによりドア３の下縁部３２の下方に存在する空間４を開放させる方向にシャッタ要素６３２を作動させる。よって、空間４を介しての換気操作を実行する。換気操作が終了すると、制御部７０からの指令により、アクチュエータ７Ｅが作動子６３４を矢印Ｓ１方向に作動させる。これによりドア３の下縁部３２の下方に存在する空間４を閉鎖させる方向にシャッタ要素６３２を作動させる。なお本実施例においても、必要に応じて、制御部７０のタイマー機能により、シャッタ要素６２の閉鎖→開放→閉鎖→開放→閉鎖…を交互に自動的に繰り返しても良い。
【実施例９】
【００６０】
図１７は実施例９を示す。本実施例は上記した各実施例と基本的には同様の構成および作用効果を有する。図１７に示すように、ドア枠２の上枠部２１とドア３の上縁部３１との間の空間４Ｕが形成されている。空間４Ｕの開放度を調整可能なシャッタ要素６２と、シャッタ要素６２を案内部６２ｈに沿って作動させる作動機構６とがドア枠２の上枠部２１内に設けられている。作動機構６は、シャッタ要素６２のラック歯部６９１に噛み合うギヤ６９２と、ギヤ６９２を軸芯Ｐ５回りで回動させるウォーム６９３と、ウォーム６９３を軸芯Ｐ６回りで回動させるアクチュエータ７Ｆとを有する。アクチュエータ７Ｆは回転モータで形成されている。ウォーム６９３およびギヤ６９２は、アクチュエータ７Ｆの回転を減速させる減速機構を構成する。
【００６１】
ドア３の閉鎖がドアセンサ６５２で検知されると、その閉鎖信号は制御部７０に入力され、制御部７０からの指令により、作動機構６のアクチュエータ７Ｆは一方向に回転し、ウォーム６９３を軸芯Ｐ６回りで一方向に回転させ、ギヤ６９２を軸芯Ｐ５回りで一方向に回転させ、シャッタ要素６２のラック歯部６９１を下方に移動させ、これにより空間４Ｕを閉鎖させる方向、すなわち図１７に一点鎖線で示す位置にシャッタ要素６２を案内部６２ｈに案内させつつ下方に移動させる。これによりドア３の内外の遮音性を高める遮音操作を実行する。
【００６２】
更に、他の実施例と同様に、ドア３の閉鎖から第１所定時間ｔ１が経過すると、制御部７０からの指令により、作動機構６のアクチュエータ７Ｆは他方向に回転し、ウォーム６９３を軸芯Ｐ６回りで他方向に回転させ、ギヤ６９２を軸芯Ｐ５回りで他方向に回転させ、シャッタ要素６２のラック歯部６９１を上方（矢印Ｃ２０方向）に移動させ、これにより空間４Ｕを開放させる方向（矢印Ｃ２０方向、すなわち図１７に実線で示す位置）にシャッタ要素６２を移動させる。これによりドア３の内外の換気性を高める換気操作を実行する。
【００６３】
なお本実施例においても、必要に応じて、制御部７０のタイマー機能により、シャッタ要素６２の閉鎖→開放→閉鎖→開放→閉鎖…を交互に自動的に繰り返しても良い。
【００６４】
（その他）上記した実施例によれば、ドアセンサ６５２で検知されたドア３の閉鎖時刻から第１所定時間ｔ１経過すると、シャッタ要素６２を開放させることにしているが、これに限らず、ドア３の閉鎖が維持された状態において、ある任意の基準から第１所定時間が経過すると、シャッタ要素６２を開放させても良い。更に、ドア３の閉鎖後において所定の動作が実行された後から第１所定時間が経過すると、シャッタ要素６２を開放させても良い。更に、ドア３を閉鎖させる閉鎖動作が開始される時刻から第１所定時間が経過すると、シャッタ要素６２を開放させても良い。更に、ドア３の閉鎖動作の終了時刻から第１所定時間が経過すると、シャッタ要素６２を開放させても良い。ドア３を閉鎖する動作の途中から第１所定時間が経過すると、シャッタ要素６２を開放させても良い。本発明は上記し且つ図面に示した実施例のみに限定されるものではなく、要旨を逸脱しない範囲内で適宜変更して実行できるものである。
【００６５】
上記した記載から次の技術的思想が把握される。
［付記項１］構造物に取り付けられ枠開口を有するドア枠と、前記ドア枠の前記枠開口を開閉するように開閉可能に設けられた回動式またはスライド式のドアと、前記ドアの外縁部の外方に形成され前記ドアの内外を連通させる空間、または、前記ドアの内外を連通させるように前記ドアに形成された空間の開放度を調整可能なシャッタ要素と、前記シャッタ要素を作動させて空間を介しての換気操作を実行する作動機構とを具備することを特徴とする遮音ドア装置。
［付記項２］付記項１において、前記シャッタ要素は、前記空間の開放度を増減させるように回動可能に前記ドアに設けられていることを特徴とする遮音ドア装置。
【産業上の利用可能性】
【００６６】
本発明はトイレ室、勉強部屋、寝室、客室、居間、業務室、オーディオ室、コンピュータ室等といった防音性が特に要請される室に取り付けられる遮音ドア装置に利用することができる。
【図面の簡単な説明】
【００６７】
【図１】実施例１に係り、ドアが開放しているときドアの下部付近の状態を示す斜視図である。
【図２】実施例１に係り、固定フレームの正面図である。
【図３】実施例１に係り、固定フレームに装備されているアクチュエータ付近の構成図である。
【図４】実施例１に係り、固定フレームに装備されている受圧部材の先端付近を示す構成図である。
【図５】実施例１に係り、アクチュエータの原理を示す構成図である。
【図６】実施例３に係り、遮音操作および換気操作のタイミングを示す図である。
【図７】実施例４に係り、固定フレームに装備されているアクチュエータ付近の構成図である。
【図８】実施例５に係り、ドアの下面部付近を示す斜視図である。
【図９】実施例５に係り、ドアの下面部付近を水平に沿って切断した断面図である。
【図１０】実施例５に係り、ドアの下面部付近を垂直に切断した断面図である。
【図１１】実施例６に係り、ドアの上面部付近を垂直に切断した断面図である。
【図１２】実施例７に係り、ドアの正面図である。
【図１３】実施例７に係り、ドアに形成されている空間付近の断面図である。
【図１４】実施例８に係り、引き戸式のドアの正面図である。
【図１５】実施例８に係り、ドアの下側付近の拡大構成図である。
【図１６】実施例８に係り、ドアの下側付近をドア肉厚方向に沿って切断した断面図である。
【図１７】実施例９に係り、ドアの上側付近をドア肉厚方向に沿って切断した断面図である。
【符号の説明】
【００６８】
図中、１は遮音ドア装置、２はドア枠、２０は枠開口、３はドア、４は空間、５０は床面、６は作動機構、６１はドア側作動機構、６２はシャッタ要素、６３は作動部、６４は操作突起、６５は枠側作動機構、６５１は固定フレーム、６５２はドアセンサ、６５３は受圧部材、６５４はタイマ設定部、６５６は受圧部、６５８は永久磁石部、６７はガイド部、７はアクチュエータ、７２ａ〜７２ｇはコア部、７３ａ〜７３ｇは励磁巻線部、７５ａ〜７５ｇはスイッチング素子、７０は制御部を示す。
【図１】
2009221654.tif 000003
【図２】
2009221654.tif 000004
【図３】
2009221654.tif 000005
【図４】
2009221654.tif 000006
【図５】
2009221654.tif 000007
【図６】
2009221654.tif 000008
【図７】
2009221654.tif 000009
【図８】
2009221654.tif 000010
【図９】
2009221654.tif 000011
【図１０】
2009221654.tif 000012
【図１１】
2009221654.tif 000013
【図１２】
2009221654.tif 000014
【図１３】
2009221654.tif 000015
【図１４】
2009221654.tif 000016
【図１５】
2009221654.tif 000017
【図１６】
2009221654.tif 000018
【図１７】
2009221654.tif 000019